【手続補正書】
【提出日】平成16年10月22日(2004.10.22)
【手続補正１】
【補正対象書類名】明細書
【補正対象項目名】全文
【補正方法】変更
【補正の内容】
【書類名】      明細書
【発明の名称】  分離型スロットマシン
【特許請求の範囲】
【請求項１】  正面側に開口する箱形の本体キャビネットと、
前記本体キャビネットの開口部を開閉自在に塞ぐ扉と、
複数の図柄が表示された回転リール及びこの回転リールを回転させるための駆動モータを有するリールユニットと、
遊技メダルを払い出すためのホッパーユニットと、
前記回転リール及びホッパーユニットの作動を制御するための主基板と、
電源装置を有する電源ユニットと、
前記扉の裏面側に位置して遊技メダルの投入を検知するためのメダルセンサーユニットとを少なくとも備えた分離型スロットマシンであって、
少なくとも前記リールユニット及び前記主基板を前記扉に着脱自在に固定した交換ユニットを、前記本体キャビネットに交換可能に設置し、
前記メダルセンサーユニットは、
投入された遊技メダルを検知するためのメダルセンサーを有するメダルセンサー部と、
前記メダルセンサー部により検知された正常な遊技メダルを前記ホッパーユニットへ案内するホッパー案内通路部と、
前記メダルセンサー部により検知された正常でない遊技メダル及び前記ホッパーユニットから払い出される遊技メダルを前記扉の前面側に案内する排出案内通路部とを備え、
前記メダルセンサーユニットは、前記扉の裏面側から前記メダルセンサーユニット全体を一体として交換可能に形成されていることを特徴とする分離型スロットマシン。
【請求項２】  前記分離型スロットマシンは、前記メダルセンサーユニットと前記扉との間に位置して、前記メダルセンサーユニットを前記扉に交換可能に固定するためのロック手段を備え、
前記ロック手段は、ロック状態で前記メダルセンサーユニットを前記扉に固定し、ロック解除状態で前記メダルセンサーユニットを前記扉から取り外し可能に形成されていることを特徴とする請求項１記載の分離型スロットマシン。
【請求項３】  前記分離型スロットマシンは、前記メダルセンサーユニットを前記扉の所定位置に配置するための位置決め手段を備え、
前記位置決め手段は、前記メダルセンサーユニットと前記扉との間に設けたことを特徴とする請求項１又は請求項２記載の分離型スロットマシン。
【請求項４】  前記ロック手段は、前記メダルセンサーユニットの反扉側に当接して、前記メダルセンサーユニットを前記扉から引き抜く方向に制限するための引き抜き制限部を備え、
前記位置決め手段は、前記メダルセンサーユニットの扉側に当接して、前記メダルセンサーユニットを前記扉に向かって押し込む方向に制限するための押し込み制限部を備え、
前記引き抜き制限部及び押し込み制限部は、前記メダルセンサーユニットが所定位置の状態で、前記メダルセンサーユニットに当接するように形成されていることを特徴とする請求項２又は請求項３記載の分離型スロットマシン。
【請求項５】 少なくとも前記メダルセンサー部は、前記扉の裏面側から交換可能に形成されていることを特徴とする請求項１乃至４のいずれか１項に記載の分離型スロットマシン。
【請求項６】  前記ロック手段は、
前記扉又は前記メダルセンサーユニットのいずれか一方から他方に向かって延びる係合片と、
前記扉又は前記メダルセンサーユニットのうち前記係合片を有していない方に位置して、前記係合片が係合可能なロック孔とを少なくとも備え、
前記係合片は、ロック状態で前記ロック孔の外部に位置する先端側から、前記ロック孔の内部に傾斜する傾斜面と、その傾斜面の基端側から前記ロック孔の外部に向かって段差状に立設する立設面とを備え、
前記立設面は、ロック状態で前記ロック孔の縁に当接して前記引き抜き制限部となることを特徴とする請求項２又は請求項４記載の分離型スロットマシン。
【請求項７】  前記位置決め手段は、
前記扉又は前記メダルセンサーユニットのいずれか一方から他方に向かって延びる当接片と、
前記扉又は前記メダルセンサーユニットのうち前記当選片を有していない方に位置して、前記当接片が当接する突出軸とを少なくとも備え、
前記当接片は、その先端から、その基端側に向かって切り欠かれて、前記突出軸が入り込む切り欠きを備え、
前記切り欠きは、ロック状態で前記突出軸が当接して前記押し込み制限部となることを特徴とする請求項３又は請求項４記載の分離型スロットマシン。
【発明の詳細な説明】
【０００１】
【発明の属する技術分野】
この発明は、分離型スロットマシンに関し、更に詳しくは、リールユニット、主基板及び扉からなる交換ユニットから、メダルセンサーユニットを交換可能に形成した分離型スロットマシンに関するものである。
【０００２】
【従来の技術】
従来のスロットマシンは、正面側に開口する筺形の本体キャビネットと、本体キャビネットの開口部を開閉自在に塞ぐ前扉とから成り、本体キャビネットの内部に、リールユニット、ホッパーユニット、遊技を司る基板等が固定設置され、全体が構成されていた。
【０００３】
このような、従来のスロットマシンにおいては、遊技内容を変更する際には本体キャビネットをまるごと交換しなければならなかった。
【０００４】
【発明が解決しようとする課題】
しかし、上記した従来のスロットマシンにおいては、遊技内容を変更するための台交換の際、遊技を担当しないホッパーユニット等も同時に交換されることとなり、交換に要する費用がかかるだけでなく、資源の無駄になっていたという問題点があった。
【０００５】
一方、類似の遊技機としてパチンコ遊技機があるが、パチンコ機は、正面側に開口する筺形の本体キャビネットと、本体キャビネットの開口部を開閉自在に塞ぐ前扉とから成り、この前扉に盤面あるいは玉打ち出し装置等が固定され、筺体に玉の循環装置が設けられている。そして、台交換の際には、本体キャビネットを残したままで前扉のみを交換することも可能であったし、さらには、盤面のみを交換することもできるように形成されていた。
【０００６】
このような、パチンコ遊技機の交換の便に着目し、スロットマシンにおいても、遊技を担当する部分のみを交換可能とする発明はなされてきた。しかし、これまでの発明においては、現実に、交換される部分の固定をどのようにするか、真に交換が必要な部分がどこであるのかといった細かい検討がなされず、もっぱら概念的な発明の提示となっているにすぎなかった。
【０００７】
かくして、スロットマシンを、主に遊技性に関わる部分と、遊技性に直接関わらない部分とに分け、このうち遊技性に関わる部分、すなわちリールユニット及び主基板等を交換することにより、全体を交換することなく、新しいスロットマシンで遊技しているかのような印象を与えることができる分離型スロットマシンを提供することが求められている。
【０００８】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、遊技内容を容易に変更することができるとともに、遊技内容の変更に伴うコストを低減させることができ、また、メダルセンサーユニットに関しても、遊技内容の異なる機種間における部品の共通化を図ることができ、交換に係るコストを更に低減させることができるようにした分離型スロットマシンを提供しようとするものである。
【０００９】
（請求項２）
請求項２記載の発明は、上記した請求項１記載の発明の目的に加え、次の点を目的とする。
すなわち、請求項２記載の発明は、ロック手段のロック状態とロック解除状態とを切り替えることにより、メダルセンサーユニットの取り付け及び取り外しを容易に行うことができ、メダルセンサーユニットの交換を容易に行うことができるようにした分離型スロットマシンを提供しようとするものである。
【００１０】
（請求項３）
請求項３記載の発明は、上記した請求項１又は請求項２記載の発明の目的に加え、次の点を目的とする。
すなわち、請求項３記載の発明は、取り付け位置の位置決めをすることができて、メダルセンサーユニットの取付作業を容易なものにすることができるようにした分離型スロットマシンを提供しようとするものである。
【００１１】
（請求項４）
請求項４記載の発明は、上記した請求項２又は請求項３に記載の発明の目的に加え、次の点を目的とする。
すなわち、請求項４記載の発明は、メダルセンサーユニットを扉から所定距離だけ離れた所定位置に固定することができるようにした分離型スロットマシンを提供しようとするものである。
【００１２】
（請求項５）
請求項５記載の発明は、上記した請求項１乃至４のいずれか１項に記載の発明の目的に加え、次の点を目的とする。
すなわち、請求項５記載の発明は、少なくともメダルセンサー部は、遊技内容を変更しても、同一のものを使用して、遊技内容の変更に伴う交換コストを抑えることができるようにした分離型スロットマシンを提供しようとするものである。
【００１３】
（請求項６）
請求項６記載の発明は、上記した請求項２又は請求項４に記載の発明の目的に加え、次の点を目的とする。
すなわち、請求項６記載の発明は、メダルセンサーユニットを扉に固定したロック状態と、メダルセンサーユニットを扉から引き離すことができるロック解除状態を切り替えることができるようにした分離型スロットマシンを提供しようとするものである。
【００１４】
（請求項７）
請求項７記載の発明は、上記した請求項３又は請求項４に記載の発明の目的に加え、次の点を目的とする。
すなわち、請求項７記載の発明は、メダルセンサーユニットと扉との距離が、それよりも更に小さくなることを制限することができるようにした分離型スロットマシンを提供しようとするものである。
【００１５】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１６】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１７】
すなわち、正面側に開口する箱形の本体キャビネット(1)と、前記本体キャビネット(1)の開口部(11)を開閉自在に塞ぐ扉(3)と、複数の図柄が表示された回転リール(23)及びこの回転リール(23)を回転させるための駆動モータを有するリールユニット(20)と、遊技メダルを払い出すためのホッパーユニット(5)と、前記回転リール(23)及びホッパーユニット(5)の作動を制御するための主基板(25)と、電源装置を有する電源ユニット(4)と、前記扉(3)の裏面側に位置して遊技メダルの投入を検知するためのメダルセンサーユニット(400)とを少なくとも備えた分離型スロットマシン(S)であって、少なくとも前記リールユニット(20)及び前記主基板(25)を前記扉(3)に着脱自在に固定した交換ユニット(2)を、前記本体キャビネット(1)に交換可能に設置し、前記メダルセンサーユニット(400)は、投入された遊技メダルを検知するためのメダルセンサーを有するメダルセンサー部(410)と、前記メダルセンサー部(410)により検知された正常な遊技メダルを前記ホッパーユニット(5)へ案内するホッパー案内通路部(420)と、前記メダルセンサー部(410)により検知された正常でない遊技メダル及び前記ホッパーユニット(5)から払い出される遊技メダルを前記扉(3)の前面側に案内する排出案内通路部(430)とを備え、前記メダルセンサーユニット(400)は、前記扉(3)の裏面側から前記メダルセンサーユニット(400)全体を一体として交換可能に形成されていることを特徴とする。
【００１８】
また、ここで、「回転リール(40)」とあるのは、周囲に複数の図柄を表示したものが、実際に回転するようなものに限定されるものではなく、液晶画面に表示されるようなものも含まれるものである。具体的には、例えば、遊技盤面の中央に設けた液晶装置を使用することにより、周囲に複数の図柄を表示した回転リールが回転するような画像を当該液晶装置によって遊技者に向かって表示するものも含まれる。
【００１９】
また、ここで、「前記回転リール(23)の作動を制御するための主基板(25)」とは、具体的には、回転リール(23)の回転を開始するためのスタートスイッチや、回転を停止させるためのストップスイッチからの信号に基づいて、回転リール(23)の回転や停止を制御するものや、遊技内容や、入賞のための種々の条件等を記憶し、停止図柄を判断して、入賞の判定等を制御するもの等を含むものである。そして、これを変更すると、遊技内容を変更することができるものである。また、この基板ユニット(24)には、演出装置(340)の作動を制御させるためのサブ基板を配置させても良く、また、演出装置(340)の作動も、上記主基板(25)により制御させるように設定しても良いものである。
【００２０】
また、ここで、「少なくとも前記リールユニット(20)及び前記主基板(25)を前記扉(3)に着脱自在に固定した交換ユニット(2)」とは、少なくともリールユニット(20)及び主基板(25)が、扉(3)に着脱自在に固定されているようなものであって、少なくともリールユニット(20)、主基板(25)及び扉(3)を、遊技内容を変更するための交換ユニット(2)としているようなものを含むものである。
【００２１】
（作用）
本発明によれば、少なくともリールユニット(20)、主基板(25)及び扉(3)を有する交換ユニット(2)を本体キャビネット(1)から取り外し、別の交換ユニット(2)を本体キャビネット(1)に取り付けることにより、交換ユニット(2)だけを別のものに交換することができる。これにより、遊技内容を容易に変更することができるとともに、本体キャビネット(1)や、ホッパーユニット(5)や、電源ユニット(4)等の遊技内容に直接関係ない部品は、そのまま再利用して、遊技内容の変更に伴うコストを低減させることができる。
【００２２】
更に、本発明は、扉(3)の裏面側からメダルセンサーユニット(400)全体を一体として交換可能に形成されている。そして、メダルセンサーユニット(400)は、扉(3)の裏面側に位置して遊技メダルの投入を検知するためのものであって、基板ユニット(24)や、リールユニット(20)を別のものに変更して、遊技内容を変更するような場合であっても、その役割は同一であり、同一のものを使用することができる。このため、取り外した交換ユニット(2)の扉(3)の裏面側から、メダルセンサーユニット(400)を取り外し、別の交換ユニット(2)を取り付ける際、かかる取り外したメダルセンサーユニット(400)を、当該交換ユニット(2)に取り付けることができる。これにより、取り外した交換ユニット(2)のうち、メダルセンサーユニット(400)は、交換ユニット(2)を交換する場合でも共通して使用することができ、遊技内容の異なる機種間における部品の共通化を図ることができ、交換に係るコストを更に低減させることができる。
【００２３】
（請求項２）
請求項２記載の発明は、上記した請求項１記載の発明の特徴点に加え、次の点を特徴とする。
すなわち、前記分離型スロットマシン(S)は、前記メダルセンサーユニット(400)と前記扉(3)との間に位置して、前記メダルセンサーユニット(400)を前記扉(3)に交換可能に固定するためのロック手段(500)を備え、前記ロック手段(500)は、ロック状態で前記メダルセンサーユニット(400)を前記扉(3)に固定し、ロック解除状態で前記メダルセンサーユニット(400)を前記扉(3)から取り外し可能に形成されていることを特徴とする。
【００２４】
ここで、「前記メダルセンサーユニット(400)を前記扉(3)に交換可能に固定するためのロック手段(500)」とは、ロック状態とすることにより、メダルセンサーユニット(400)を扉(3)に固定することができ、ロック状態を解除することにより、メダルセンサーユニット(400)を扉(3)から取り外すことができて、別のメダルセンサーユニット(400)を交換することができるようなものである。具体的には、例えば、図５及び図６に示すように、ロック手段(500)は、扉(3)から延びるとともに先端に傾斜面(514)及び立設面(515)からなる三角突部(513)を有する弾性変形可能な係合片(512)と、この係合片(512)の三角突部(513)の立設面(515)が内部に係合可能なロック孔(511)とからなるようなものを含むものである。
【００２５】
そして、ロック状態は、上述した例で説明すると、係合片(512)の三角突部(513)がロック孔(511)に入り込んで、立設面(515)がロック孔(511)の縁に当接することにより、三角突部(513)がロック孔(511)に引っかかり、ロックされている状態を維持しているものである。そして、ロック解除状態は、係合片(512)の三角突部(513)がロック孔(511)から外れるように外力により弾性変形させて、立設面(515)がロック孔(511)の縁から外れることにより、ロック状態が解除されているものである。もちろん、ロック手段(500)は、上述した例のものに限定されることはなく、ロック状態と、ロック解除状態とを有するようなものであれば、他のものでも良いものである。
【００２６】
（作用）
本発明は、ロック手段(500)を、メダルセンサーユニット(400)と扉(3)との間に設けている。このため、ロック手段(500)をロック状態を維持することにより、ロック手段(500)を介して、メダルセンサーユニット(400)を扉(3)に固定することができる。そして、ロック手段(500)をロック解除状態とすることにより、メダルセンサーユニット(400)を扉(3)から取り外すことができる。このように、ロック手段(500)のロック状態とロック解除状態と切り替えることにより、扉(3)に固定されたメダルセンサーユニット(400)を、取り外して、別のメダルセンサーユニット(400)に容易に交換することができる。したがって、交換ユニット(2)を別のものに変更して、遊技内容を変更する際、交換ユニット(2)の一部である扉(3)からメダルセンサーユニット(400)を取り外して、新たな交換ユニット(2)の扉(3)に容易に取り付けることができる。
【００２７】
（請求項３）
請求項３記載の発明は、上記した請求項１又は請求項２記載の発明の特徴点に加え、次の点を特徴とする。
すなわち、前記分離型スロットマシン(S)は、前記メダルセンサーユニット(400)を前記扉(3)の所定位置に配置するための位置決め手段(550)を備え、前記位置決め手段(550)は、前記メダルセンサーユニット(400)と前記扉(3)との間に設けたことを特徴とする。
【００２８】
なお、ここで、「メダルセンサーユニット(400)を前記扉(3)の所定位置に配置するための位置決め手段(550)」とは、メダルセンサーユニット(400)を扉(3)に固定する際、メダルセンサーユニット(400)の扉(3)への予め定めた所定の取付位置に案内することができるようなものや、所定の取付位置を決定することができるようなものである。具体的には、例えば、位置決め手段(550)は、メダルセンサーユニット(400)及び扉(3)に、凹部と、この凹部に差し込み可能な凸部とを有し、かかる凹部に凸部を挿入することにより、物差し等の測定器具等を使用して取付位置を測定しなくても、両者を予め定めた所定の位置関係に配置することができ、結果として、メダルセンサーユニット(400)を扉(3)の予め定めた所定位置に取り付けることができるようなものを含むものである。
【００２９】
（作用）
本発明は、位置決め手段(550)を介して、メダルセンサーユニット(400)を扉(3)の所定位置に配置することができる。これにより、メダルセンサーユニット(400)を扉(3)に取り付ける際、物差し等の測定治具を使用することなく、取り付け位置の位置決めをすることができて、メダルセンサーユニット(400)を扉(3)の所定位置に取り付けることが可能となり、メダルセンサーユニット(400)の取付作業を容易なものにすることができる。
【００３０】
（請求項４）
請求項４記載の発明は、上記した請求項２又は請求項３に記載の発明の特徴点に加え、次の点を特徴とする。
すなわち、前記ロック手段(500)は、前記メダルセンサーユニット(400)の反扉(3)側に当接して、前記メダルセンサーユニット(400)を前記扉(3)から引き抜く方向に制限するための引き抜き制限部(516)を備え、前記位置決め手段(550)は、前記メダルセンサーユニット(400)の扉(3)側に当接して、前記メダルセンサーユニット(400)を前記扉(3)に向かって押し込む方向に制限するための押し込み制限部(554)を備え、前記引き抜き制限部(516)及び押し込み制限部(554)は、前記メダルセンサーユニット(400)が所定位置の状態で、前記メダルセンサーユニット(400)に当接するように形成されていることを特徴とする。
【００３１】
なお、ここで、「引き抜き制限部(516)」は、具体的には、例えば、係合片(512)の三角突部(513)の立設面(515)を含むものであり、「押し込み制限部(554)」は、具体的には、例えば、当接片(551)のＵ字状切り欠き(553)を含むものである。
また、ここで、「メダルセンサーユニット(400)の反扉(3)側」とは、メダルセンサーユニット(400)の扉(3)側と反対方向側を意味するものであって、具体的には、メダルセンサーユニット(400)を扉(3)に取り付けた状態で、扉(3)の位置する方向と反対方向側、すなわち本体キャビネット(1)側となるものである。そして、引き抜き制限部(516)がメダルセンサーユニット(400)の反扉側に当接することにより、メダルセンサーユニット(400)を扉(3)から引き離す方向に移動することが制限されるものである。
【００３２】
（作用）
本発明は、メダルセンサーユニット(400)が所定位置の状態にあるとき、引き抜き制限部(516)は、メダルセンサーユニット(400)の反扉側に当接して、メダルセンサーユニット(400)が扉(3)から引き抜かれる方向に移動することを制限する。そして、同時に、メダルセンサーユニット(400)が、その所定位置の状態にあるとき、押し込み制限部(554)は、メダルセンサーユニット(400)の扉側に当接して、メダルセンサーユニット(400)が扉(3)に向かって押し込まれる方向に移動することを制限する。このため、引き抜き制限部(516)及び押し込み制限部(554)の両方がメダルセンサーユニット(400)に当接することにより、扉側への移動も、反扉側への移動も、制限されることとなって、メダルセンサーユニット(400)の扉(3)に対する前後方向への移動が制限され、結果として、メダルセンサーユニット(400)を扉(3)から所定距離だけ離れた所定位置に固定することができる。
【００３３】
（請求項５）
請求項５記載の発明は、上記した請求項１乃至４のいずれか１項に記載の発明の特徴点に加え、次の点を特徴とする。
すなわち、少なくとも前記メダルセンサー部(410)は、前記扉(3)の裏面側から交換可能に形成されていることを特徴とする。
【００３４】
なお、ここで、「メダルセンサー部(410)」は、光センサーや、磁気センサー等を使用して、メダル投入口(42)から投入された遊技メダルの検知するものであって、遊技メダルが投入されたことの検出や、投入された遊技メダルが所定の材質や、形状からなる正常な遊技メダルであることの判断を行うことができるようなものを含むものである。
【００３５】
また、ここで、「少なくとも前記メダルセンサー部(410)は、前記扉(3)の裏面側から交換可能に形成されている」とあるのは、メダルセンサー部(410)だけは、交換可能に形成され、ホッパー案内通路部(420)及び排出案内通路部(430)は、一体成形等により扉(3)の一部として、形成し、取り付け作業の容易化を図っているようなものを含むものである。さらに、「少なくとも」とあるのは、扉(3)の裏面側から交換可能に形成されているのは、メダルセンサー部(410)だけでなく、ホッパー案内通路部(420)及び排出案内通路部(430)も、メダルセンサー部(410)と一体となって、或いは、それぞれ別個に、扉(3)の裏面側から交換可能に形成されているようなものも含まれるものである。
【００３６】
（作用）
本発明は、少なくともメダルセンサー部(410)は、扉(3)の裏面側から交換可能に形成されているため、遊技内容の変更に伴う、交換ユニット(2)の交換の際、ホッパー案内通路部(420)及び排出案内通路部(430)はそのままで、メダルセンサー部(410)だけを取り外して、新たな交換ユニット(2)の扉(3)に取り付けることができる。これにより、少なくとも内部にセンサー等を有するメダルセンサー部(410)は、遊技内容を変更しても、同一のものを使用して、遊技内容の変更に伴う交換コストを抑えることができる。
【００３７】
（請求項６）
請求項６記載の発明は、上記した請求項１乃至５のいずれか１項に記載の発明の特徴点に加え、次の点を特徴とする。
すなわち、前記ロック手段(500)は、前記扉(3)又は前記メダルセンサーユニット(400)のいずれか一方から他方に向かって延びる係合片(512)と、前記扉(3)又は前記メダルセンサーユニット(400)のうち前記係合片(512)を有していない方に位置して、前記係合片(512)が係合可能なロック孔(511)とを少なくとも備え、前記係合片(512)は、ロック状態で前記ロック孔(511)の外部に位置する先端側から、前記ロック孔(511)の内部に傾斜する傾斜面(514)と、その傾斜面(514)の基端側から前記ロック孔(511)の外部に向かって段差状に立設する立設面(515)とを備え、前記立設面(515)は、ロック状態で前記ロック孔(511)の縁に当接して前記引き抜き制限部(516)となることを特徴とする。
【００３８】
なお、ここで、「前記扉(3)又は前記メダルセンサーユニット(400)のいずれか一方から他方に向かって延びる係合片(512)と、前記扉(3)又は前記メダルセンサーユニット(400)のうち前記係合片(512)を有していない方に位置して、前記係合片(512)が係合可能なロック孔(511)」とは、例えば、係合片(512)が扉(3)に形成され、ロック孔(511)がメダルセンサーユニット(400)に形成されているような場合、係合片(512)は、扉(3)からメダルセンサーユニット(400)に向かって延び、ロック孔(511)はメダルセンサーユニット(400)に位置して、係合片(512)が係合可能に形成されていることを意味するものである。また、係合片(512)がメダルセンサーユニット(400)に形成され、ロック孔(511)が扉(3)に形成されているような場合、係合片(512)は、メダルセンサーユニット(400)から扉(3)に向かって延び、ロック孔(511)が扉(3)に位置して、係合片(512)が係合可能に形成されていることを意味するものである。
【００３９】
また、ここで、「前記係合片(512)は、ロック状態で前記ロック孔(511)の外部に位置する先端側から、前記ロック孔(511)の内部に傾斜する傾斜面(514)と、その傾斜面(514)の基端側から前記ロック孔(511)の外部に向かって段差状に立設する立設面(515)とを備え」とは、係合片(512)がロック状態にあるとき、係合片(512)の先端側は、ロック孔(511)の外部に位置し、その先端側から傾斜面(514)が、ロック孔(511)の内部に傾斜し、そのロック孔(511)の内部に位置する傾斜面(514)の基端側から、段差状の立設面(515)がロック孔(511)の外部に向かって立設しているようなものを意味するものである。すなわち、係合片(512)は、ロック孔(511)に入り込んだロック状態において、弾性変形していない状態となる。そして、係合片(512)が外部からの力を受けて弾性変形することにより、傾斜面(514)及び立設面(515)の全部がロック孔(511)の外部に移動して、かかるロック状態を解除することが可能となるものである。
【００４０】
また、ここで、係合片(512)とロック孔(511)との間の距離を調節するために移動させるのは、係合片(512)であっても良いし、また、ロック孔(511)であっても良いものである。
（作用）
本発明は、メダルセンサーユニット(400)を扉(3)に向かって押し込んでいくと、係合片(512)の傾斜面(514)が、扉(3)又はメダルセンサーユニット(400)に押されて、係合片(512)全体が弾性変形しながら、係合片(512)をロック孔(511)側に向かって近づけることができる。そして、係合片(512)の傾斜面(514)の基端側がロック孔(511)の内部に入り込むと、係合片(512)は、弾性変形した状態から元の状態に戻る。そして、係合片(512)の傾斜面(514)の基端側からロック孔(511)の外部に向かって段差状に立設する立設面(515)が、ロック孔(511)の縁に当選して引き抜き制限部(516)となる。これにより、メダルセンサーユニット(400)を扉(3)から引き抜く方向、すなわち、係合片(512)を、押し込んだ方向から逆方向のロック孔(511)から引き抜く方向に移動させようとしても、係合片(512)の立設面(515)が、ロック孔(511)の縁に当接して、かかる移動を制限する。これにより、一旦、ロック孔(511)に入り込んだ係合片(512)を、押し込んだ方向と逆方向に引き抜くことができず、メダルセンサーユニット(400)を扉(3)に固定したロック状態を維持することができる。
【００４１】
一方、かかるロック状態を解除したロック解除状態にする場合は、ロック孔(511)に入り込んだ係合片(512)の傾斜面(514)を、係合片(512)の立設面(515)がロック孔(511)の縁にかからなくなるまで、ロック孔(511)の外部に向かって外力により強制的に移動させて、係合片(512)を弾性変形させる。これにより、ロック状態を解除したロック解除状態にすることができる。このロック解除状態で、係合片(512)を押し込んだ方向と逆方向に引き抜くことにより、係合片(512)をロック孔(511)から引き離すことができて、ロックメダルセンサーユニット(400)を扉(3)から引き離すことができる。
【００４２】
上述したように、ロック手段(500)は、メダルセンサーユニット(400)を扉(3)に固定したロック状態と、メダルセンサーユニット(400)を扉(3)から引き離すことができるロック解除状態とを切り替えることができる。
（請求項７）
請求項７記載の発明は、上記した請求項３又は請求項４に記載の発明の特徴点に加え、次の点を特徴とする。
【００４３】
すなわち、前記位置決め手段(550)は、前記扉(3)又は前記メダルセンサーユニット(400)のいずれか一方から他方に向かって延びる当接片(551)と、前記扉(3)又は前記メダルセンサーユニット(400)のうち前記当選片を有していない方に位置して、前記当接片(551)が当接する突出軸(552)とを少なくとも備え、前記当接片(551)は、その先端から、その基端側に向かって切り欠かれて、前記突出軸(552)が入り込む切り欠き（具体的には、Ｕ字状切り欠き(553)）を備え、前記切り欠き(553)は、ロック状態で前記突出軸(552)が当接して前記押し込み制限部(554)となることを特徴とする。
【００４４】
なお、ここで、「前記扉(3)又は前記メダルセンサーユニット(400)のいずれか一方から他方に向かって延びる当接片(551)と、前記扉(3)又は前記メダルセンサーユニット(400)のうち前記当選片を有していない方に位置して、前記当接片(551)が当接する突出軸(552)」とは、例えば、当接片(551)が扉(3)に形成され、突出軸(552)がメダルセンサーユニット(400)に形成されているような場合、当接片(551)は、扉(3)からメダルセンサーユニット(400)に向かって延び、突出軸(552)はメダルセンサーユニット(400)に位置して、当接片(551)が当接可能に形成されていることを意味するものである。また、当接片(551)がメダルセンサーユニット(400)に形成され、突出軸(552)が扉(3)に形成されているような場合、当接片(551)は、メダルセンサーユニット(400)から扉(3)に向かって延び、突出軸(552)が扉(3)に位置して、当接片(551)が当選可能に形成されていることを意味するものである。
【００４５】
（作用）
本発明は、メダルセンサーユニット(400)を扉(3)に向かって押し込むことにより、突出軸(552)が当接片(551)の切り欠き（553）内部に入り込む。そして、突出軸(552)が切り欠き(553)に当接することにより、切り欠き(553)が押し込み制限部(554)となって、メダルセンサーユニット(400)を扉(3)に向かって押し込む方向に移動することを制限する。すなわち、メダルセンサーユニット(400)と扉(3)との距離が、それよりも更に小さくなることを制限する。
【００４６】
【発明の実施の形態】
（第一の実施の形態）
（図面の説明）
図１乃至図１２は、本発明の実施の形態を示すものである。
図１は分離型スロットマシンの本体キャビネットから扉を外した状態の分解斜視図、図２は分離型スロットマシンの分解斜視図、図３はメダルセンサーユニットの外観斜視図、図４はメダルセンサーユニットを取り付けた状態の扉の一部背面図、図５はロック手段及び位置決め手段の概略斜視図、図６はロック手段及び位置決め手段の一部拡大斜視図、図７はロック解除状態のロック手段及び位置決め手段の模式図、図８はロック状態のロック手段及び位置決め手段の模式図、図９は扉とリールユニットとの係合部分の概略斜視図、図１０はローラー及びローラーガイドの取付状態の概略側面図、図１１は固定装置の外観斜視図、図１２は固定装置の概略平面図をそれぞれ示すものである。
【００４７】
本実施の形態における分離型スロットマシンSは、大きく分けて、正面側に開口部11を有する四角箱状の本体キャビネット1と、この本体キャビネット1の開口部11を塞ぐ扉3と、複数の図柄が表示された回転リール23及びこの回転リール23を回転させるための駆動モータを有するリールユニット20と、遊技メダルを払い出すためのホッパーユニット5と、回転リール23及びホッパーユニット5の作動を制御するための主基板25と、電源装置を有する電源ユニット4と、扉3の裏面側に位置して遊技メダルの投入を検知するためのメダルセンサーユニット400とを備えている。
【００４８】
前記リールユニット20及び主基板25は、四角枠を直方体状に組み合わせた枠体21に固定されている。そして、リールユニット20及び主基板25を固定した枠体21は、固定装置10により本体キャビネット1に着脱自在に固定されている。そして、扉3は、枠体21に、係合部6及び扉ロック機構7を介して、着脱自在に固定されている。そして、リールユニット20及び基板ユニット24を固定した枠体21と、この枠体21を固定した扉3とにより、遊技内容を変更可能な交換ユニット2が形成されている。すなわち、ここで、交換ユニット2は、主基板25と、リールユニット20と、扉3とが、枠体21を介して、一体に形成されているものである。そして、この交換ユニット2は、一体として、本体キャビネット1から交換可能に形成されているものである。もちろん、これらは一体としてではなく、主基板25及びリールユニット20を有する枠体21と、扉3とを、それぞれ別個独立に交換することも可能なものである。
【００４９】
そして、メダルセンサーユニット400は、扉3の裏面側から交換可能に形成されている。
（本体キャビネット1）
上記本体キャビネット1は、底板15、側板16、天板17及び裏板18からなる正面側に開口する筺体であり、高さ方向略中央部には、二つの側板16の間に水平方向に中板12が渡してある。そして、この中板12の下面には電源ユニット4が設けられ、底板15にはホッパーユニット5が固定されている。
【００５０】
ここで、電源ユニット4は、中板12の下面に、取り付け板等を介して取り付けられており、特に図示しないが電源装置が内装されているとともに、遊技店側が種々の設定を行うためのスイッチ等、店操作部100を有している。
上記電源ユニット4及びホッパーユニット5は、交換ユニット2の交換に際し、必ずしも交換する必要のないものであり、交換時には設置されたままにしておけるようになっているものである。
【００５１】
上記本体キャビネット1の左右の側板16の内面上部には、枠体21を本体キャビネット1に固定するための固定装置10が形成されている。なお、この固定装置10は、交換ユニット2を本体キャビネット1に固定するための側面ロック手段121の一部である。この側面ロック手段121は、本体キャビネット1の左右側板の固定装置10と、枠体21の左右のフック状態のフック部130とから形成されるものである。
【００５２】
（リールユニット20）
上記リールユニット20は、２１個の図柄が表示された３個の回転リール23と、この３個の回転リール23をそれぞれ回転させるための駆動モータとからなるものである。そして、このリールユニット20は、四角枠状の枠体21の下側内部に固定されている。
【００５３】
（枠体21）
上記枠体21は、四角枠を組み合わせて、全体形状が、直方体状のものからなるものである。そして、この枠体21は、その内部にリールユニット20及び基板ユニット24が固定されている。具体的には、この枠体21の高さ方向の途中には、平板状の中間板122が形成されている。そして、枠体21の中間板122の下側には、リールユニット20が固定され、枠体21の中間板122の上面に基板ユニット24が固定されている。
【００５４】
前記枠体21の正面左側の縦枠には、前記扉3を回転自在に係合するための上方に向かって突出する棒状軸からなる枠体係合部60が、上下方向に間隔をおいて二つ設けられている。この枠体係合部60は、図９に示すように、枠体21の向かって左側の縦枠から正面側に突出する張り出し部65と、この張り出し部65の先端に設けられたピン67とからなり、縦枠の上下方向に一定の間隔を置いて形成されている。
【００５５】
さらに、枠体係合部60の対向側の縦枠には、扉3を閉めた際、扉3を枠体21に固定してロックするための突出片90（扉ロック機構7）が、上下方向に間隔をおいて二つ設けられている。
前記枠体21の正面右側の縦枠下部には、扉3の車輪状のローラー210を案内するための帯板状のローラーガイド220が固定されている。
【００５６】
（基板ユニット24）
上記基板ユニット24は、遊技及びスロットマシンの作動を制御するための主基板25と、各種演出を行うためのサブ基板（図示せず）と、これら主基板25等の周囲を覆う透明で略四角箱状の樹脂からなる基板ケース26とを備えている。
前記主基板25は、回転リール23及びホッパーユニット5等の作動を制御するためのものであり、前記サブ基板は、演出装置の作動を制御するためのものである。なお、主基板25及びサブ基板は、本実施の形態において、基板ケース26内に配置されている。しかし、サブ基板は、上述した基板ケース26内部に内包させずに他の別の位置に配置しても良いものである。この主基板25等の表面側には、各種ＣＰＵ等の部品が装着され、配線が施されている。
【００５７】
（側面ロック手段121）
上記側面ロック手段121は、枠体21の左右側面と、本体キャビネット1の内部両側面との間に設けられているものであって、基板ユニット24及びリールユニット20を有する枠体21の左右両側面を本体キャビネット1に固定するためのものである。
【００５８】
具体的には、側面ロック手段121は、図２、図１１及び図１２に示すように、枠体21の左右に固定されているフック部130と、本体キャビネット1の内部の左右側面に固定されている固定装置10とからなるものである。
前記フック部130は、交換ユニット2の枠体21の前面側の左右の縦枠にそれぞれ固定されている。そして、このフック部130は、背面側に向かって横断面形状が鉤状に延びる金属薄板細片からなるものである。
【００５９】
前記固定装置10は、図２に示すように、本体キャビネット1の左右の側板16の内側にそれぞれ固定されて、前記フック部130の先端を引っかけて固定可能なものである。具体的には、固定装置10は、本体キャビネット1の内部の左右の側板16に固定される回転軸136と、この回転軸136に軸支されて回動可能である断面形状がコ字状の摺動レバー132と、この摺動レバー132の途中に開口するスライド溝137をスライド可能なピン移動体139とを備えている。そして、このピン移動体139は、前記スライド溝137に通されスライド可能な基端側ピン138と、この基端側ピン138の両端から延びるピン連結部133と、このピン連結部133の先端間に位置する先端側ピン131からなるものである。そして、基端側ピン138の中央には、回転軸136から延びるスライド棒134が通されている。そして、そのスライド棒134の周囲には、ばね135が配置され、このばね135が、回転軸136と基端側ピン138との間を延ばす方向に力を加えている。
【００６０】
上記側面ロック手段121の取り扱い手順を以下に示す。
先ず、枠体21を側面ロック手段121を介して本体キャビネット1に固定する場合、摺動レバー132を手前側に開いた状態でピン移動体139の先端側ピン131を、枠体21のフック部130に引っかける。そして、先端側ピン131にフック部130を引っかけた状態のまま、摺動レバー132を本体キャビネット1の側面側に向かって閉じることにより、図１２に示すように、ばねの付勢力によりフック部130を背面側に引っ張った状態を維持することができるものである。これにより、フック部130及び固定装置10を介して、枠体21を、本体キャビネット1の背面側に向かって引っ張りながら固定することができる。一方、枠体21を側面ロック手段121を介して本体キャビネット1から取り外す場合、上記手順を逆に行うことにより可能なものである。すなわち、図１２に示すような摺動レバー132を閉じた状態から、摺動レバー132を前面側に向かって開く。そして、摺動レバー132が開いた状態において、フック部130から先端側ピン131を取り外すことにより、かかるロック状態が解除されるものである。
【００６１】
本実施の形態に係る側面ロック手段121は、先端側ピン131をフック部130に引っかけて、摺動レバー132を閉じるだけで、簡単にフック部130を固定装置10に固定することができ、ロック状態にすることができるものである。また、逆に、摺動レバー132を開いて、先端側ピン131をフック部130から取り外すだけで、簡単にフック部130を固定装置10から外すことができ、ロック状態を解除することができるものである。これにより、枠体21の取り付け作業や、取り外し作業を、簡単なものにすることができ、枠体21を含んだ交換ユニット2の交換を簡単なものにすることができる。
【００６２】
（扉3）
上記扉3は、本体キャビネット1の開口部11を開閉自在に塞ぐものである。この扉3は、枠体21に回転自在かつ固定可能に形成されている。そして、扉3は、上側の略中央部に前記回転リール23の図柄を正面側から見ることができる図柄表示窓31を有し、その周囲に飾り部33を設けてある。そして、扉3は、種々の表示を行うための表示装置32が設けられている。
【００６３】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
扉3の中央部は、分離型スロットマシンSを作動させるための操作部41となっている。また、扉3の下部には払い出されたメダルを溜めておくためのメダル受け43が形成されており、扉3の下部には、遊技内容その他の表示をするための前パネル50が嵌め込まれている。
【００６４】
前記操作部41には、扉3の中央前面右端のメダル投入口42と、左側のベットスイッチと、正面左側のスタートスイッチと、３個のストップスイッチと、鍵穴44とが形成されている。なお、ベットスイッチとは、貯留メダルをメダル投入に代えるためのものであり、スタートスイッチ及びストップスイッチは、回転リール23の回転を開始及び停止させるためのものである。また、鍵穴44は、扉3の錠を開けるためのものであり、この穴に所定の鍵を差し込んで回すと、扉3のロックが解除されるものである。
【００６５】
扉3の裏面側には、遊技メダルの投入を検知するためのメダルセンサーユニット400が形成されている。そして、扉3の裏面下部の左右には、種々の音声を出力するためのスピーカ49が設けられている。
さらに、扉3と枠体21との間には、分離型スロットマシンSの正面から見て左側に位置して、扉3を回転自在に枠体21に固定するための係合部6が形成されている。この係合部6は扉3の扉係合部59と、枠体21の枠体係合部60とからなるものである。具体的には、扉3の裏面には、その裏面側に向かって右側端部に前記枠体係合部60に係合可能な扉係合部59が上下方向に間隔をおいて二つ設けられてある。この扉係合部59は、扉3の裏面側から見て向かって右側に位置し、図９に示すように、水平方向に突出する四角板状の四角支持板66にピン孔68を有するものであって、枠体係合部60に対応するように設けられている。枠体係合部60のピン67の先端が、四角支持板66のピン孔68に下方から挿入するように、扉係合部59を移動させると、板状の四角支持板66が、ピン67の段差部分に引っかかり、枠体係合部60と回転自在に係合されるものである。
【００６６】
そして、扉3と枠体21との間には、分離型スロットマシンSの正面から見て右側に位置して、扉3を閉じた状態でロック可能な扉ロック機構7が形成されている。この扉ロック機構7は、扉3の係止片81と、枠体21の突出片90とを備えているものである。具体的には、扉ロック機構7の扉3の係止片81は、扉3の裏面側に向かって左側端部に位置して、リールユニット20の前記突出片90に係合可能なアンカー状のものである。この扉ロック機構7は、枠体係合部60に扉係合部59を係合させて、扉3を回転させて押し込むと、かかるアンカー状の係止片81が枠体21の突出片90の下部に当接して下方に向かって押し下げられ、更に、扉3が押し込まれて所定の位置まで進むと、ばねにより、係止片81が元の位置に戻って、当該突出片90にアンカー状の係止片81が引っかかることにより扉3が開かないようにロックされるものである。そして、鍵穴44に鍵を差し込んで回すことにより、かかるアンカー状の金具が下がって突出片90から外れることにより、扉3を開くことができるように形成されているものである。
【００６７】
上記扉3の向かって右側の下部の裏面側には、回転可能な車輪状のローラー210が固定されている。
（メダルセンサーユニット400）
上記メダルセンサーユニット400は、扉3の裏面側に位置して遊技メダルの投入を検知するためのものである。このメダルセンサーユニット400は、投入された遊技メダルを検知するためのメダルセンサーを有するメダルセンサー部410と、メダルセンサー部410により検知された正常な遊技メダルをホッパーユニット5へ案内するホッパー案内通路部420と、メダルセンサー部410により検知された正常でない遊技メダル及びホッパーユニット5から払い出される遊技メダルを扉3の前面側に案内する排出案内通路部430とを備えている。
【００６８】
前記メダルセンサー部410は、メダルセンサーユニット400の上部に位置して、メダル投入口42の下方の扉3の裏面側に配置されるものである。そして、メダルセンサー部410は、正常な遊技メダルがメダル投入口42から投入された場合、当該遊技メダルの投入を光センサーにより検出するとともに、当該遊技メダルをホッパー案内通路部420へ案内するように形成されている。また、メダルセンサー部410は、磁気センサーや、光センサーにより、正常のものと異なる材質からなる遊技メダルや、正常のものと異なる寸法形状の遊技メダルが、メダル投入口42から投入された場合、当該遊技メダルが、正常な遊技メダルではないことを判断し、かかる遊技メダルを下方の排出案内通路部430に案内するものである。
【００６９】
前記ホッパー案内通路部420は、メダルセンサー部410により検知された正常な遊技メダルを、ホッパーユニット5の上部へ案内するためのホッパー案内溝421を備えているものである。このホッパー案内溝421は、メダルセンサー部410からホッパーユニット5まで、ゆるやかなカーブを描くように形成されている。そして、このホッパー案内溝421は、メダルセンサー部410からホッパーユニット5まで、下り傾斜となるように形成されている。これにより、メダルセンサー部410から出てきた遊技メダルは、ホッパーユニット5まで、ホッパー案内溝421の溝内面を転がって移動することができるものである。
【００７０】
前記排出案内通路部430は、メダルセンサー部410の下方に位置して、メダルセンサー部410からの正常でない遊技メダルを、その下方の排出受け通路440へ案内するものである。また、排出案内通路部430は、その裏面側のホッパーユニット5から払い出される遊技メダルが投入される払い出し投入口460が形成されている。そして、排出案内通路部430は、かかる払い出し投入口460から投入された払い出し用の遊技メダルを、排出受け通路440へ案内するものである。そして、これらの排出受け通路440へ通った遊技メダルは、排出受け通路440の前面側に開口する排出口450から、メダル受け43の内部に排出されるものである。
【００７１】
本発明の実施の形態に係る分離型スロットマシンSは、メダルセンサーユニット400と扉3との間に位置して、メダルセンサーユニット400を扉3に交換可能に固定するためのロック手段500を備えている。このロック手段500は、ロック状態でメダルセンサーユニット400を扉3に固定し、ロック解除状態でメダルセンサーユニット400を扉3から取り外し可能に形成されている。
【００７２】
また、本発明の実施の形態に係る分離型スロットマシンSは、メダルセンサーユニット400を扉3の所定位置に配置するための位置決め手段550を備えている。この位置決め手段550は、メダルセンサーユニット400と扉3との間に設けてあるものである。
本実施の形態では、上述したメダルセンサー部410、ホッパー案内通路部420及び排出案内通路部430の３つが一体となったメダルセンサーユニット400が、ロック手段500及び位置決め手段550を介して、扉3の裏面側から交換可能に形成されているものである。しかし、必ずしもメダルセンサー部410、ホッパー案内通路部420及び排出案内通路部430の３つが一体となって、扉3の裏面側から交換可能に形成されているものに限定されるものではない。例えば、メダルセンサー部410を、ホッパー案内通路部420及び排出案内通路部430から、分離することができるように形成して、メダルセンサー部410だけが、ロック手段500及び位置決め手段550を介して、扉3の裏面側から交換可能に形成されているようなものでも良いものである。その際、ホッパー案内通路部420と、排出案内通路部430とも、それぞれ分離することができて、それぞれ別個独立に、ロック手段500や位置決め手段550等を介して、扉3の裏面側から交換可能に形成されても良く。また、排出案内通路部430を、扉3の裏面側の部材と一体成形により形成し、ホッパー案内通路部420を、その排出案内通路部430から着脱自在に交換可能に形成しても良いものである。
【００７３】
（ロック手段500）
上記ロック手段500は、扉3からメダルセンサーユニット400に向かって延びる係合片512と、メダルセンサーユニット400に位置して、係合片512が係合可能な四角孔状のロック孔511とを備えている。
前記係合片512は、その先端側にメダルセンサーユニット400側に向かって断面形状が三角形状に突出する三角突部513を備えている。そして、係合片512の三角突部513は、ロック状態でロック孔511の外部に位置する先端側から、ロック孔511の内部に傾斜する傾斜面514と、その傾斜面514の基端側からロック孔511の外部に向かって段差状に立設する立設面515とを備えている。
【００７４】
前記ロック手段500は、図８（ａ）（ｂ）に示すように、係合片512の三角突部513がロック孔511に入り込んで、立設面515がロック孔511の縁に当接することにより、ロック状態となって、メダルセンサーユニット400を扉3に固定することができるものである。そして、ロック手段500は、図７（ａ）（ｂ）に示すように、係合片512がロック孔511から抜け出ることにより、すなわち、三角突部513がロック孔511から抜け出て、立設面515がロック孔511の縁から外れることにより、ロック解除状態となって、メダルセンサーユニット400を扉3から取り外すことが可能になるものである。
【００７５】
前記ロック手段500は、メダルセンサーユニット400の反扉3側に当選して、メダルセンサーユニット400を扉3から引き抜く方向（反扉3側）に制限するための引き抜き制限部516を備えている。前記立設面515は、ロック状態で前記ロック孔511の縁に当接して引き抜き制限部516となるものである。
なお、ここで、ロック手段500は、扉3側に係合片512を形成し、メダルセンサーユニット400にかかる係合片512が係合可能なロック孔511を形成しているが、特にこれに限定されるものではない。例えば、ロック手段500は、メダルセンサーユニット400側から扉3に向かって延びる係合片512を形成して、かかる係合片512が係合可能なロック孔511を扉3に形成するようにしても良いものである。かかる場合も同様の効果を得ることができるものである。
【００７６】
（位置決め手段550）
上記位置決め手段550は、扉3からメダルセンサーユニット400に向かって延びる当接片551と、メダルセンサーユニット400に位置して、当接片551が当接する全体形状が略円柱状の突出軸552とを備えている。
前記当接片551は、その先端から、その基端側に向かってＵ字状に切り欠かれて、前記突出軸552が入り込むＵ字状切り欠き553を備えている。
【００７７】
前記位置決め手段550は、図７（ｃ）（ｄ）に示すように、突出軸552が、当接片551のＵ字状切り欠き553の最も奥側の内面に当接してなく、離れた状態となっていることにより、メダルセンサーユニット400の位置決めが未だ終了していない状態となるものである。
そして、前記位置決め手段550は、図８（ｃ）（ｄ）に示すように、当接片551のＵ字状切り欠き553内部の最も奥側に突出軸552が入り込んで、突出軸552がＵ字状切り欠き553の最も奥側の内面に当接することにより、位置決め設定状態となって、メダルセンサーユニット400を扉3の所定位置に配置することができるものである。
【００７８】
前記位置決め手段550は、メダルセンサーユニット400の扉3側に当選して、メダルセンサーユニット400を扉3に向かって押し込む方向に制限するための押し込み制限部554を備えている。前記Ｕ字状切り欠き553は、ロック状態で前記突出軸が最も奥側内面に当接して前記押し込み制限部となるものである。
なお、ここで、位置決め手段550は、扉3側に当接片551を形成し、メダルセンサーユニット400にかかる当接片551のＵ字状切り欠き553の内面に当選可能な突出軸552を形成しているが、特にこれに限定されるものではない。例えば、位置決め手段550は、メダルセンサーユニット400側から扉3に向かって延びる当接片551を形成して、かかる当接片551のＵ字状切り欠き553が当接可能な突出軸552を扉3に形成するようにしても良いものである。かかる場合も上述したものと同様の効果を得ることができる。
【００７９】
（ローラー210）
上記ローラー210は、全体形状が略円板状であって、回転軸を中心として、回転可能に形成されているものである。なお、このローラー210は、上下方向に可動することはなく、扉3の裏面の側端付近の予め設定された所定の上下方向の略中央位置に固定されているものである。
【００８０】
（ローラーガイド220）
上記ローラーガイド220は、扉3の開閉方向に沿ってローラー210を案内するとともに支持可能に形成されているものである。上記ローラーガイド220は、前記ローラー210が転がり可能な金属細片からなるものである。そして、ローラーガイド220の前面側は、下方に向かって僅かに折り曲げられている。この折り曲げられた部分は、ローラー210をローラーガイド220の上面に滑らかに導くためのものである。すなわち、扉3を閉じる際、先ず、ローラー210が、先端の折り曲げられた部分に当接し、その後、ローラーガイド220の上面を転がりながら、ローラーガイド220の所定位置の上面まで案内されるものである。
【００８１】
上記ローラーガイド220は、ローラー210を案内するためのものであって、枠体21の内部に固定されているものである。具体的には、ローラーガイド220は、枠体21の向かって右側の下部に固定されている。そして、ローラーガイド220は、扉3の開閉方向に沿ってローラー210を案内するとともに支持可能に形成されている。
【００８２】
このローラー210が、枠体21の固定されたローラーガイド220の上を転がりながら移動することにより、扉3を開閉する際、扉3と枠体21との間の摩擦抵抗を抑えることができ、スムーズに扉3を開方向又は閉方向に移動させることができる。
また、ローラーガイド220は、ローラー210を案内するとともに支持している。このため、ローラー210を有する扉3を、ローラーガイド220を有する枠体21の上下方向の適正位置に配置することができる。これにより、ローラー2101をローラーガイド220に載せるだけで、扉3の上下方向の位置決め作業を終了させることができる。これにより、扉3の取付作業や、その後の開閉作業を確実且つ容易に行うことができる。
【００８３】
（扉ロック機構7）
上記扉ロック機構7は、扉ロック機構7の裏面側部に設けられた固定部70及び可動部80と、枠体21に設けられた突出片90とを備えている。ここで、扉ロック機構7の構造は、鍵穴44に所定の鍵を差し込んで解錠するようになっているものである。
【００８４】
図１０を用いて、具体的に、説明する。図１０は、施錠時の扉ロック機構7を示すものである。扉ロック機構7は、扉3の裏板に固定された固定部70と、この固定部70に上下方向に摺動可能に取り付けられた可動部80とを有する。固定部70は、可動部80を支持するためのものであり、可動部80は、枠体21に設けられた突出片90に係合し扉3と枠体21とをロック（固定）し、又はロック解除するためのものである。
【００８５】
固定部70には、上下二カ所にピン73及びストッパー71が設けられており、これらで可動部80を支持している。さらに、固定部70と可動部80との間に取り付けられたバネ72が、可動部80を常に上方向に引き上げるようにはたらいており、一方、可動部80には段部83が設けられ、この段部83が上部にあるストッパー71に当接して可動部80を係止している。
【００８６】
そして、可動部80には、斜辺81aと溝部81bとを有する係止片81が二つ設けられており、前記溝部81bに突出片90が引っかかり、かつ前記バネ72が可動部80を上方向に引っ張っているので、扉3と枠体21とがロックされた状態となっているものである。
また、特に図示していないが、鍵穴44に鍵を差し込んで回転させることにより、その回転に連動して、可動部80が下方に向かって引っ張られて移動するように設定されている。そして、可動部80が下方に向かって移動すると、係止片81の溝部81bから突出片90が外れ、ロックが解除されるものである。
【００８７】
さらに、開いた状態の扉3を閉めるときには、係止片81の斜辺81aが突出片90の下端に当接し、さらに扉を閉める方向に押すと突出片90の下端が係止片81の斜辺81aを押し、可動部80は徐々に下方に下がっていく。そして、さらに扉を閉める方向に押すと、可動部80はバネ72により上方向に引っ張られているので、ついには突出片90が斜辺81aを乗り越えるような形で溝部81bに嵌り込み、係止片81は突出片90に係止される。すなわち、扉を閉めれば自動的にロックされるように形成されているのである。
【００８８】
（分離型スロットマシンSの交換手順）
以上のように構成された分離型スロットマシンSについて、遊技内容変更のための台交換は、以下のように行うことができる。
第一に、リールユニット20及び基板ユニット24のみを交換ユニット2として取り替えることができる。すなわち、鍵を鍵穴44に差し込んで解錠し、扉3を開いて上方向に持ち上げて、枠体係合部60から扉係合部59を外し、枠体21から扉3を取り外す。そして、固定装置10を外して、枠体21を本体キャビネット1から取り出す。これにより、枠体21とともに、枠体21に固定されているリールユニット20及び基板ユニット24を取り外すことができる。そして、新たなリールユニット20及び基板ユニット24を有する枠体21を固定装置10を介して本体キャビネット1に取り付け、先ほど外した扉3を取り付けるものである。このような交換によれば、スロットマシンの外側外観をいっさい変えることなく容易に遊技内容を変更することができる。また、リールユニット20だけを交換することにより、回転リール23の図柄だけを変更することができる。また、基板ユニット24だけを交換することにより、当選確率や設定の内容等だけを変更することが可能となる。
【００８９】
第二に、扉3、リールユニット20及び基板ユニット24のみを交換ユニット2として取り替えることができる。すなわち、上記した手順において、新たなリールユニット20及び基板ユニット24を有する枠体21を本体キャビネット1に取り付けたのち、新たな扉3を取り付けるものである。このような交換によれば、遊技の変更に伴い回転リール23の数が３個から４個に変わったり、表示装置32を変更しても、それに対応した表示窓31を有する扉3に変えることができる。かかる場合も、交換作業を容易に行うことができる。
【００９０】
このとき、枠体21と扉3とが一体に形成されていれば、作業効率がなおよいものである。具体的には、鍵を鍵穴44に差し込んで解錠して、扉3を開放状態にする。そして、その開放状態において、枠体21と本体キャビネット1とを固定している側面ロック手段121の固定装置10をフック部130から取り外して、側面ロック手段121のロックを解除状態にする。そして、その状態で、再度、扉3を押し込んで閉じることにより、扉ロック機構7がロック状態となる。これにより、扉3と枠体21とが一体となる。そして、その状態のまま、扉3を本体キャビネット1から手前側に引き抜けば、扉3と、その扉3に固定された枠体21とが一体となった状態で、本体キャビネット1から取り外すことができる。すなわち、扉3、リールユニット20及び基板ユニット24を一体として、取り外すことができる。また、逆に、扉3と枠体21とが一体となったものを本体キャビネット1に取り付ける場合には、かかる扉3及び枠体21が一体となったものを本体キャビネット1に押し込んだ後、鍵を鍵穴44に差し込んで扉ロック機構7のロックを解除し、扉3を開放状態にする。そして、その状態で、固定装置10をフック部130に引っかけてロックすることにより、側面ロック手段121がロック状態となり、その後、扉3を閉じて、扉ロック機構7をロック状態とすることにより、一体となった扉3及び枠体21を本体キャビネット1に固定することができて、交換作業が終了するものである。
【００９１】
上述したような交換手順により、遊技内容を容易に変更することができるとともに、本体キャビネット1や、ホッパーユニット5や、電源ユニット4等の遊技内容に直接関係ない部品は、そのまま再利用して、遊技内容の変更に伴うコストを低減させることができる。
そして、上述した扉3の交換において、交換の対象となる古い扉3からメダルセンサーユニット400を取り外して、その取り外したメダルセンサーユニット400を新たに取り付ける新しい扉3の裏面に取り付けることができる。これにより、取り外した交換ユニット2のうち、メダルセンサーユニット400は、交換ユニット2を交換する場合でも共通して同じ部品を再使用することができ、遊技内容の異なる機種間における部品の共通化を図ることができ、交換に係るコストを更に低減させることができる。
【００９２】
（第二の実施の形態）
図１３は、本発明の第二の実施の形態であって、分離型スロットマシンの本体キャビネットから扉を外した状態の分解斜視図を示す。
本実施の形態は、扉3が、上扉30と、下扉40との二つに分割可能に形成されていることに特徴を有するものである。そして、上扉30と、リールユニット20及び基板ユニット24を有する枠体21とを、交換ユニット2として設定することができるものである。すなわち、上扉30、リールユニット20及び基板ユニット24を交換可能なものである。そして、下扉40や、本体キャビネット1や、電源ユニット4や、ホッパーユニット5等の部品は、そのまま使用することができるものである。これにより、下扉40は再使用することが可能となるものである。もちろん、交換の際、下扉40も上扉30と同様に交換しても良いものである。その際には、メダルセンサーユニット400を下扉40から取り外して、メダルセンサーユニット400を再使用することが可能なものである。その他の構成は、第一の実施の形態と略同様である。以下、具体的に、説明する。
【００９３】
上扉30及び下扉40からなる扉3は、その正面から向かって左側に位置して、扉3を回動可能に軸支する係合部6と、扉3の正面から向かって右側に位置して、扉3の開閉をロック状態にすることができる扉ロック機構7とを備えている。
（上扉30）
上扉30は、交換ユニット2の枠体21に回転自在かつロック可能に形成されている板状の扉であり、本体キャビネット1の中板12の上側の開口上部13を開閉自在に塞ぐものである。そして、上扉30は、略中央部に前記回転リール23の図柄を正面側から見ることができる図柄表示窓31を有し、周囲に飾り部33を設けてある。そして、上扉30は、種々の表示を行うための表示装置32が設けられているものである。
【００９４】
さらに、上扉30の裏面には、枠体21側の係合部6である枠体係合部60に係合可能な扉係合部59である上扉係合部61が上下方向に間隔をおいて二つ設けられている。そして、上扉30の裏面側に位置して、上扉係合部61の対向側には、扉ロック機構7が設けられている。
上記上扉30の向かって右側の下部の裏面側には、回転可能なローラー210である上扉用ローラー211が固定されている。
【００９５】
（下扉40）
下扉40は、本体キャビネット1の開口下部14を塞ぐための、上扉30よりも幅厚の扉であり、本体キャビネット1の側板16に回転自在かつロック可能に形成されているものである。そして、下扉40は、本体キャビネット1の中板12の下側の開口下部14を開閉自在に塞ぐことができるものである。
【００９６】
下扉40は、第一の実施の形態と同様に、スロットマシンを作動させるための操作部41や、払い出されたメダルを溜めておくためのメダル受け43や、遊技内容その他の表示をするための前パネル50等を備えている。
前記操作部41としては、第一の実施の形態と同様に、メダル投入口42、ベットスイッチ、スタートスイッチ、ストップスイッチ及び鍵穴44が設けられている。ここで、鍵穴44は、下扉40を解錠するためのものであり、この穴に所定の鍵を差し込んで回すと、下扉40の扉ロック機構7のロック状態が解除されるものである。
【００９７】
さらに、下扉40の裏面側には、メダル投入口42から投入されたメダルを誘導しながらメダルの正偽を判断するためのメダルセンサーユニット400が設けられている。
また、下扉40の裏面には、本体係合部62と係合可能な下扉係合部63が上下方向に間隔をおいて二つ設けられている。そして、下扉40の裏面側に位置して、下扉係合部63の対向側には、ロック機構7が設けられている。
【００９８】
そして、下扉40の向かって右側の下部の裏面側には、回転可能なローラー210である下扉用ローラー212が固定されている。
ここで、上扉30の上扉係合部61と、下扉40の下扉係合部63とは、第一の実施の形態で説明した扉3の扉係合部59と同様に、ピン孔68を有する四角支持板66から形成されているものである。また、枠体21の枠体係合部60は、第一の実施の形態で説明した枠体係合部60と同一であり、本体キャビネット1の下側に固定された本体係合部62は、第一の実施の形態で説明した枠体21に設けた枠体係合部60と同様の構造であって、張り出し部65の先端にピン67が形成されているものである。
【００９９】
（扉ロック機構7）
本実施の形態に係る扉ロック機構7は、第一の実施の形態で説明した扉ロック機構7が、上扉30と、下扉40とのそれぞれに形成されているものである。
この扉ロック機構7は、上扉30及び下扉40の裏面側部に設けられた固定部70及び可動部80、本体キャビネット1及び枠体21に設けられた突出片90とから構成されている。ここで、上扉30及び下扉40の扉ロック機構7の構造は、基本的には同様であり、下扉40の扉ロック機構7は、鍵穴44に所定の鍵を差し込んで解錠するようになっており、第一の実施の形態で説明した扉ロック機構7と同様である。
【０１００】
そして、上扉30の扉ロック機構7も、基本的な構造は略同様であるが、外側から解錠することができず、下扉40が開いているときにロック解除可能となっている点が異なるものである。具体的には、上扉30の扉ロック機構7は、下扉40を開放した状態で、可動部80を手で下に引っ張ると、係止片81の溝部81bから突出片90が外れ、ロックが解除されるものである。なお、可動部80は、下扉40を開けないと操作できないようになっている。
【０１０１】
さらに、開いた状態の上扉30を閉めるときには、第一の実施の形態で説明したものと同様であって、係止片81の斜辺81aが突出片90の下端に当接し、さらに扉を閉める方向に押すと突出片90の下端が係止片81の斜辺81aを押し、可動部80は徐々に下方に下がっていく。そして、さらに扉を閉める方向に押すと、可動部80はバネ72により上方向に引っ張られているので、ついには突出片90が斜辺81aを乗り越えるような形で溝部81bに嵌り込み、係止片81は突出片90に係止される。すなわち、扉を閉めれば自動的にロックされるように形成されているのである。
【０１０２】
以上のように形成されている上扉30は、枠体21を本体キャビネット1に収納し固定した状態で上扉30を閉めると、本体キャビネット1の開口上部13を塞ぐことができ、同時にロックされて開口上部13を施錠することができる。
（ローラー210）
上記ローラー210は、全体形状が略円板状であって、回転軸を中心として、回転可能に形成されているものである。なお、このローラー210は、上下方向に可動することはなく、上扉30又は下扉40の裏面の予め設定された所定の上下方向の位置に固定されているものである。
【０１０３】
上記ローラー210は、その取り付け位置により、以下の２つに分類される。
（１）上扉用ローラー211
（２）下扉用ローラー212
（上扉用ローラー211）
上記上扉用ローラー211は、上扉30の向かって右側の下部の裏面側に固定されているローラー210である。
【０１０４】
（下扉用ローラー212）
上記下扉用ローラー212は、下扉40の向かって右側の下部の裏面側に固定されているローラー210である。
（ローラーガイド220）
上記ローラーガイド220は、第一の実施の形態で説明したものと同様であるが、その取り付け位置により、以下の二つに分類される。
【０１０５】
（１）上扉用ローラーガイド221
（２）下扉用ローラーガイド222
（上扉用ローラーガイド221）
上記上扉用ローラーガイド221は、上扉用ローラー211を案内するためのものであって、本体キャビネット1の開口上部13の内部に設けてあるものである。具体的には、上扉用ローラーガイド221は、枠体21の向かって右側に固定されている。そして、上扉用ローラーガイド221は、上扉30の開閉方向に沿って上扉用ローラー211を案内するとともに支持可能に形成されている。
【０１０６】
本実施の形態によれば、上扉30の下部に固定された上扉用ローラー211が、枠体21に固定された上扉用ローラーガイド221の上を転がりながら移動することができる。このため、上扉30により、本体キャビネット1の開口上部13を開閉する際、上扉30と枠体21との間の摩擦抵抗を抑えることができ、スムーズに上扉30を開方向又は閉方向に移動させることができる。
【０１０７】
また、上扉用ローラーガイド221は、上扉用ローラー211を案内するとともに支持している。このため、上扉用ローラー211を有する上扉30を、上扉用ローラーガイド221を有する枠体21の上下方向の適正位置に配置することができる。これにより、上扉用ローラー211を上扉用ローラーガイド221に載せるだけで、上扉30の上下方向の位置決め作業を終了させることができる。
【０１０８】
これらにより、上扉30の取付作業や、その後の開閉作業を確実且つ容易に行うことができる。
（下扉用ローラーガイド222）
上記下扉用ローラーガイド222は、下扉用ローラー212を案内するためのものであって、本体キャビネット1の開口下部14の内部に設けてあるものである。具体的には、下扉用ローラーガイド222は、本体キャビネット1の開口下部14の向かって右側の側板16の内面下部に固定されている。そして、下扉用ローラーガイド222は、下扉40の開閉方向に沿って下扉用ローラー212を案内するとともに支持可能に形成されている。
【０１０９】
本実施の形態によれば、下扉40の下部に固定された下扉用ローラー212が、本体キャビネット1の内面に形成された下扉用ローラーガイド222の上を転がりながら移動することができる。このため、下扉40により本体キャビネット1の中板12の下側の開口下部14を開閉する際、下扉40と本体キャビネット1との間の摩擦抵抗を抑えることができ、スムーズに下扉40を開方向又は閉方向に移動させることができる。
【０１１０】
また、下扉用ローラーガイド222は、下扉用ローラー212を案内するとともに支持している。このため、下扉用ローラー212を有する下扉40を、下扉用ローラーガイド222を有する本体キャビネット1の上下方向の適正位置に配置することができる。これにより、下扉用ローラー212を下扉用ローラーガイド222に載せるだけで、下扉40の上下方向の位置決め作業を終了させることができる。
【０１１１】
これらにより、下扉40の取付作業や、その後の開閉作業を確実且つ容易に行うことができる。
【０１１２】
【発明の効果】
本発明は、以上のように構成されているので、以下に記載されるような効果を奏する。
（請求項１）
請求項１記載の発明によれば、次のような効果を奏する。
【０１１３】
すなわち、請求項１記載の発明によれば、遊技内容を容易に変更することができるとともに、遊技内容の変更に伴うコストを低減させることができ、また、メダルセンサーユニットに関しても、遊技内容の異なる機種間における部品の共通化を図ることができ、交換に係るコストを更に低減させることができるようにした分離型スロットマシンを提供することができる。
【０１１４】
（請求項２）
請求項２記載の発明によれば、上記した請求項１記載の発明の効果に加え、次のような効果を奏する。
すなわち、請求項２記載の発明によれば、ロック手段のロック状態とロック解除状態とを切り替えることにより、メダルセンサーユニットの取り付け及び取り外しを容易に行うことができ、メダルセンサーユニットの交換を容易に行うことができるようにした分離型スロットマシンを提供することができる。
【０１１５】
（請求項３）
請求項３記載の発明によれば、上記した請求項１又は請求項２記載の発明の効果に加え、次のような効果を奏する。
すなわち、請求項３記載の発明によれば、取り付け位置の位置決めをすることができて、メダルセンサーユニットの取付作業を容易なものにすることができるようにした分離型スロットマシンを提供することができる。
【０１１６】
（請求項４）
請求項４記載の発明によれば、上記した請求項２又は請求項３に記載の発明の効果に加え、次のような効果を奏する。
すなわち、請求項４記載の発明によれば、メダルセンサーユニットを扉から所定距離だけ離れた所定位置に固定することができるようにした分離型スロットマシンを提供することができる。
【０１１７】
（請求項５）
請求項５記載の発明によれば、上記した請求項１乃至４のいずれか１項に記載の発明の効果に加え、次のような効果を奏する。
すなわち、請求項５記載の発明によれば、少なくともメダルセンサー部は、遊技内容を変更しても、同一のものを使用して、遊技内容の変更に伴う交換コストを抑えることができるようにした分離型スロットマシンを提供することができる。
【０１１８】
（請求項６）
請求項６記載の発明によれば、上記した請求項２又は請求項４に記載の発明の効果に加え、次のような効果を奏する。
すなわち、請求項６記載の発明によれば、メダルセンサーユニットを扉に固定したロック状態と、メダルセンサーユニットを扉から引き離すことができるロック解除状態を切り替えることができるようにした分離型スロットマシンを提供することができる。
【０１１９】
（請求項７）
請求項７記載の発明によれば、上記した請求項３又は請求項４に記載の発明の効果に加え、次のような効果を奏する。
すなわち、請求項７記載の発明によれば、メダルセンサーユニットと扉との距離が、それよりも更に小さくなることを制限するようにした分離型スロットマシンを提供することができる。
【図面の簡単な説明】
【図１】
本発明の第一の実施の形態であって、分離型スロットマシンの本体キャビネットから扉を外した状態を示す分解斜視図である。
【図２】
本発明の第一実施の形態であって、分離型スロットマシンを示す分解斜視図である。
【図３】
本発明の第一実施の形態であって、メダルセンサーユニットを示す外観斜視図である。
【図４】
本発明の第一実施の形態であって、メダルセンサーユニットを取り付けた状態の扉を示す一部背面図、である。
【図５】
本発明の第一実施の形態であって、ロック手段及び位置決め手段を示す概略斜視図である。
【図６】
本発明の第一の実施の形態であって、ロック手段及び位置決め手段を示す一部拡大斜視図である。
【図７】
本発明の第一の実施の形態であって、ロック解除状態のロック手段及び位置決め手段を示す模式図である。
【図８】
本発明の第一の実施の形態であって、分離型スロットマシンを示す外観正面図である。
【図９】
本発明の第一の実施の形態であって、ロック状態のロック手段及び位置決め手段を示す模式図である。
【図１０】
本発明の第一の実施の形態であって、ローラー及びローラーガイドの取付状態を示す概略側面図である。
【図１１】
本発明の第一の実施の形態であって、固定装置を示す外観斜視図である。
【図１２】
本発明の第一の実施の形態であって、固定装置を示す概略平面図である。
【図１３】
本発明の第二の実施の形態であって、分離型スロットマシンの本体キャビネットから上扉及び下扉を外した状態を示す分解斜視図である。
【符号の説明】
S  分離型スロットマシン            1  本体キャビネット
2  交換ユニット                    3  扉
4  電源ユニット                    5  ホッパーユニット
6  係合部                          7  扉ロック機構
10  固定装置                        11  開口部
12  中板                            13  開口上部
14  開口下部                        15  底板
16  側板                            17  天板
18  裏板                            20  リールユニット
21  枠体                            23  回転リール
24  基板ユニット                    25  主基板
26  基板ケース                      30  上扉
31  表示窓                          32  表示装置
33  飾り部                          40  下扉
41  操作部                          42  メダル投入口
43  メダル受け                      44  鍵穴
49  スピーカ                        50  前パネル
59  扉係合部                        60  枠体係合部
61  上扉係合部                      62  本体係合部
63  下扉係合部                      65  張り出し部
66  四角支持板                      67  ピン
68  ピン孔                          70  固定部
71  ストッパー                      72  ばね
80  可動部                          81  係止片
81a  斜辺                          81b  溝部
83  段部                            90  突出片
121  側面ロック手段                122  中間板
130  フック部                      131  先端側ピン
132  摺動レバー                    133  ピン連結部
134  スライド棒                    135  ばね
136  回転軸                        137  スライド溝
138  基端側ピン                    139  ピン移動体
210  ローラー                      211  上扉用ローラー
212  下扉用ローラー                220  ローラーガイド
221  上扉用ローラーガイド          222  下扉用ローラーガイド
400  メダルセンサーユニット        410  メダルセンサー部
420  ホッパー案内通路部            421  ホッパー案内溝
430  排出案内通路部                440  排出受け通路
450  排出口                        460  払い出し投入口
500  ロック手段                    511  ロック孔
512  係合片                        513  三角突部
514  傾斜面                        515  立設面
516  引き抜き制限部                550  位置決め手段
551  当接片                        552  突出軸
553  Ｕ字状切り欠き                554  押し込み制限部